(57)【特許請求の範囲】
【請求項１】
係止具本体（Ａ）と、この係止具本体（Ａ）に着脱可能に係止される係止片（Ｂ）とで構成され、
上記係止具本体（Ａ）は、凹字状に中央部を凹ました上辺部に開口部（１２）を設けた扁平容器形状の本体部（１０）の上部両側に、上部側一端を上記開口部（１２）より該本体部（１０）の両外側に突出した操作部（１４ａ）となした操作レバー片（１４，１４）を、軸（１３，１３）で夫々枢着して収納し、この操作レバー片（１４）の下部側一端は、該軸（１３）より下方内側に向かう係止爪部（１４ｂ）を夫々延設し、また、上記本体部（１０）には、上記係止爪部（１４ｂ）の下部を内側に向けて付勢する略Ｕ字状の板バネで構成し、さらにＵ字状の上部両側を内側に折り曲げたスプリング（１５）を収納し、さらに、上記本体部（１０）の下部にはベルト取付用窓孔（１６）を設け、
前記係止片（Ｂ）は、上部にベルト取付用窓孔（２６）を設け、下部は本体部（１０）内に差し込むことのできる舌片部（２１）を有し、この舌片部（２１）の下辺は湾曲辺部（２２）となし、この舌片部（２１）は、その平面形状が下方に向けた略矢尻形状となし、係止具本体（Ａ）の上辺の凹字状に凹んだ部位に嵌入する、前記本体部（１０）と同じ厚みとなした舌片基端部（２１ａ）と、この舌片基端部（２１ａ）よりさらに延設されて上記操作レバー片（１４，１４）の間から本体部（１０）内に差し込むことのできる、前記舌片基端部（２１ａ）より薄手に形成した挿入基端部（２１ｂ）とで構成し、この舌片部（２１）の下辺は湾曲辺部（２２）となし、さらにこの湾曲辺部（２２）の上方部位には、前記係止爪部（１４ｂ，１４ｂ）が係止するくびれ部（２３）を設けてなる係止具。
【発明の詳細な説明】
【０００１】
【発明の属する技術分野】
本発明は、係止具に関するもので、特に、鞄用に使用し、図３及び図４に示すように、ショルダーベルト２の両端を、鞄本体１に着脱可能に係止したり、図示しない鞄の被せ蓋の自由端を、鞄本体に着脱可能に係止するのに適した差し込み式と称される係止具に関するものである。
【０００２】
【従来の技術】
従来、この種の係止具は、代表的にはベルトの一端に取り付けられることが多いことから、尾錠（転じて、美錠とも記す）と称され、また、係止具本体に係止片を差し込んで係止することから差込錠とも称されている。そして、最近は図３に示すごとき合成樹脂製のものが開発され、その経済性と強靱性とから、使用範囲が顕著に広まり、「錠」という表現は一般に使用されず、単に「係止具」と称されるようになってきている。
【０００３】
図５の従来例は、係止具本体Ａを偏平角筒状の本体部１０の、幅が狭い側の両側面に係止用の窓孔１９，１９を設けてある。そして、係止具本体Ａに着脱可能に係止される係止片Ｂには前記本体部１０内に差し込むことのできる一対の腕部２９，２９を設けてなる。この腕部２９，２９は剛性を有しその自由端側の相互の距離が、所定の範囲で変更できるように（該腕部２９が可撓性を有するようになしてある。）なしてあり、本体部１０内に差し込む際は両腕部２９，２９の先端は、その距離を狭めるように設定してある。そして、この両腕部２９，２９の外面側（図５左右側）には、前記窓孔１９に係合する爪部２８が夫々設けられ、係止片Ｂを係止具本体Ａ内に差し込むと、爪部２８の上端部が窓孔１９の上辺に係止されるようになしてある。
【０００４】
したがって、係止片Ｂを脱着するには、先ず両爪部２８，２８を親指と人差し指とで摘む等して内側に押し込む。そして、両爪部２８，２８を内側に押し込むと、該爪部２８，２８の窓孔１９，１９との係止が外れるので、そのままの状態を保持しつつ該係止片Ｂを引き抜くと、この係止片Ｂを係止具本体Ａとの係止を脱着することができる。
【０００５】
上記図５の従来例は、合成樹脂で射出成形できるので容易に量産でき安価に提供され、その強靱性（大きな抗力と耐久性を有する。）は実証済みで、ベルトどうしの着脱可能な連結を始めとして多くの場所に使用されている。しかし、係止具本体Ａに係止片Ｂを係止するのは、単に係止具本体Ａに係止片Ｂを差し込めばよいので容易であるが、脱着に際しては、引き抜く係止片Ｂの一部である爪部２８，２８を手にしたまま（指等で押したまま）、該係止片Ｂを引き抜くことになるので、該係止片Ｂには方向が異なる複数の力を加えないと脱着できないことになり、脱着操作が繁雑であるという問題点を有している。
【０００６】
【発明が解決しようとする課題】
そこで、本発明は、上記の問題点に鑑みてなされたもので、強靱であると共に、着脱操作が容易な係止具を提供することを課題としたものである。
【０００７】
【課題を解決するための手段】
上記課題を達成するため、本発明は、係止具本体Ａと、この係止具本体Ａに着脱可能に係止される係止片Ｂとで構成され、上記係止具本体Ａは、凹字状に中央部を凹ました上辺部に開口部１２を設けた扁平容器形状の本体部１０の上部両側に、上部側一端を上記開口部１２より該本体部１０の両外側に突出した操作部１４ａとなした操作レバー片１４，１４を、軸１３，１３で夫々枢着して収納し、この操作レバー片１４の下部側一端は、該軸１３より下方内側に向かう係止爪部１４ｂを夫々延設し、また、上記本体部１０には、上記係止爪部１４ｂの下部を内側に向けて付勢する略Ｕ字状の板バネで構成し、さらにＵ字状の上部両側を内側に折り曲げたスプリング１５を収納し、さらに、上記本体部１０の下部にはベルト取付用窓孔１６を設け、前記係止片Ｂは、上部にベルト取付用窓孔２６を設け、下部は本体部１０内に差し込むことのできる舌片部２１を有し、この舌片部２１の下辺は湾曲辺部２２となし、この舌片部２１は、その平面形状が下方に向けた略矢尻形状となし、係止具本体Ａの上辺の凹字状に凹んだ部位に嵌入する、前記本体部１０と同じ厚みとなした舌片基端部２１ａと、この舌片基端部２１ａよりさらに延設されて上記操作レバー片１４，１４の間から本体部１０内に差し込むことのできる、前記舌片基端部２１ａより薄手に形成した挿入舌片部２１ｂとで構成し、この舌片部２１の下辺は湾曲辺部２２となし、さらにこの湾曲辺部２２の上方部位には、前記係止爪部１４ｂ，１４ｂが係止するくびれ部２３を設けてなる技術的手段を講じたものである。
【０００８】
本発明の係止具は、係止具本体Ａに係止片Ｂを係止する場合は、係止具本体Ａの開口部１２に、係止片Ｂの舌片部２１を差し込む。すると該舌片部２１の下辺の湾曲辺部２２が、操作レバー片１４の下部の係止爪部１４ｂ，１４ｂをスプリング１５の付勢力に抗して押し開き、所定の位置まで該係止片Ｂが差し込まれると、図１の右半分側に最も明らかに示すように、該係止爪部１４ｂ，１４ｂはスプリング１５の付勢力でその下端をくびれ部２３内に係入する。
【０００９】
従って、図１の状態で、係止片Ｂに引き抜く方向の力（係止片Ｂを図上方に引き向く方向の力）が加わると、係止爪部１４ｂ，１４ｂの先端が軸１３より内側に位置するので、この係止爪部１４ｂ，１４ｂの先端はより内側に移動しようとし、係止片Ｂの引き抜きが確実に防止される作用を呈する。
【００１０】
そこで、図１の状態から、係止片Ｂの係止を脱着し、該係止片Ｂを引き抜くには、先ず、両操作部１４ａ，１４ａを指で、図１上方内側に回動させる。この操作はスプリング１５の付勢力に抗して行われるのは無論である。すると、操作レバー片１４，１４は軸１３，１３を中心として、操作部１４ａ，１４ａが内側に、係止爪部１４ｂ，１４ｂが外側に向かって回動し、該係止爪部１４ｂ，１４ｂのくびれ部２３への係止が脱着される。この状態で、係止片Ｂは上方に引き抜き可能となる作用を呈するものである。
【００１１】
【００１２】
本発明の係止具は、上記作用に加えて、係止具本体Ａに凹字状に中央部を凹ました上辺部を設け、この係止具本体Ａに差し込まれる係止片Ｂは、係止具本体Ａの上辺の凹字状に凹んだ部位に嵌入する舌片基端部２１ａと、この舌片基端部２１ａよりさらに延設されて、上記操作レバー片１４，１４の間から本体部１０内に差し込むことのできる挿入舌片部２１ｂとで構成してなるので、係止具本体Ａに係止片Ｂを係止させた際、移動不能な係止具本体Ａの中央部を凹ました上辺部に、舌片基端部２１ａが嵌合して、両者の位置関係が容易に変化しないでしっかりとした係止状態を維持する作用を呈するものである。
【００１３】
【００１４】
本発明の係止具は、上記作用にさらに加えて、係止具本体Ａの本体部１０の下部にベルト取付用窓孔１６を設け、係止片Ｂは上部にベルト取付用窓孔２６を設けてなるので、両ベルト取付用窓孔１６，２６に、取付用等のベルトを挿通して折り返すことで、ベルトの端部や取付用ベルトに、該係止具本体Ａと係止片Ｂとを所望の場所に連結できる作用を呈するものである。
【００１５】
【実施例】
本発明の第１の実施例を添付図面を参照して詳細に説明する。図３及び図４は本発明の係止具によって、鞄本体１にショルダーベルト２を着脱可能に取り付ける例で、鞄本体１の両襠面の上部には、係止具本体Ａが夫々固定され、ショルダーベルト２の両端には該係止具本体Ａに着脱可能に係止される係止片Ｂを取り付けてある。なお、図示例では、係止具本体Ａはその本体部１０の下部に設けたベルト取付用窓孔１６に取付用ベルト３を通して、この取付用ベルト３の折返し重合部を鞄本体１のマチ部に縫着等して固定する。また、上記係止片Ｂは、ショルダーベルト２の端部を、その上部に設けたベルト取付用窓孔２６をとおして折返し、この折返し先端をショルダーベルト２に移動可能に取り付けたバックルに連結（該バックルの下辺等に連結）してある。
【００１６】
すなわち、本発明は、係止具本体Ａと、この係止具本体Ａに着脱可能に係止される係止片Ｂとで構成されるのは従来と同じで、また、この係止具本体Ａと係止片Ｂとの取り付け方法も従来公知な手段で行えばよいものである。
【００１７】
上記係止具本体Ａは、上部に開口部１２を設けた扁平容器形状の本体部１０の上部両側に、上部側一端を上記開口部１２より該本体部１０の両外側に突出した操作部１４ａとなした操作レバー片１４，１４を、軸１３，１３で夫々枢着して収納してある。この本体部１０は、図示例ではその形状を平面略凹字状に構成して、その開口は扁平となした上下面（図１の奥手前面）ではなく、扁平で深い容器状となるように、同図１の上部、すなわち凹字状にへこむ上辺部に開口部を設けてある。なお、この本体部１０は、扁平容器状であればその平面形状は種々変化させることができる。
【００１８】
また、上記軸１３，１３は、図１奥手前方向を向き、本体部１０に固定され、上記操作レバー１４，１４は、その中央部に該軸１３が挿通できる通孔１７を設けてある。そして、上記操作部１４ａは、該操作レバー１４を指先等で操作する部位で、この操作部１４ａに使用者が触れて、該操作レバー１４を、軸１３を中心として回動できるようにしてある。
【００１９】
上記操作レバー片１４の下部側一端は、該軸１３より下方内側に向かう係止爪部１４ｂを夫々延設し、また上記本体部１０には、上記係止爪部１４ｂの下部を内側に向けて付勢するスプリング１５を収納してある。すなわち、上記操作レバー１４は、中間部が軸１３で枢止され、この軸１３，１３の外側上方に前記操作部１４ａを突出し、内側下方に係止爪部１４ｂを突出してある。そして、上記スプリング１５は、図示例では略Ｕ字状の板バネで構成し、さらにＵ字状の上部両端を内側に折り曲げたものを使用している。
【００２０】
前記係止片Ｂは、上記操作レバー片１４，１４の間から本体部１０内に差し込むことのできる舌片部２１を有し、この舌片部２１の下辺は湾曲辺部２２となし、さらに湾曲辺部２２の上方部位には、前記係止爪部１４ｂ，１４ｂが係止するくびれ部２３を設けてある。すなわち、この舌片部２１は、その平面形状が図１において下方に向けた略矢尻形状となし、係止具本体Ａに差し込む際は、前記操作レバー１４，１４を押し開いて挿入可能となし、該係止片Ｂを係止具本体Ａより引き抜くことは、不可能となるようになしてある。
【００２１】
なお、本発明の係止の着脱に関しては前記したので、ここでは省略するが、係止片Ｂを係止具本体Ａより脱着（引き抜く）する際は、操作部１４ａ，１４ａを操作し、これとは一体でない係止片Ｂを引き抜くものであるから、該操作部１４ａ，１４ａと、係止片Ｂとには夫々一方向の力のみを加えればよいので、操作性がよい係止具を提供できる。
【００２２】
次に、本発明の第２の実施例について説明する。本発明は、係止具本体Ａと、この係止具本体Ａに着脱可能に係止される係止片Ｂとで構成され、上記係止具本体Ａは、凹字状に中央部を凹ました上辺部に開口部１２を設けた扁平容器形状の本体部１０の上部両側に、上部側一端を上記開口部１２より該本体部１０の両外側に突出した操作部１４ａとなした操作レバー片１４，１４を、軸１３，１３で夫々枢着して収納し、この操作レバー片１４の下部側一端は、該軸１３より下方内側に向かう係止爪部１４ｂを夫々延設し、また、上記本体部１０には、上記係止爪部１４ｂの下部を内側に向けて付勢するスプリング１５を収納してある。
【００２３】
すなわち、本発明では、上記本体部１０を単なる扁平容器状とするのではなく、凹字状に中央部を凹ました上辺部に開口部１２を設けた扁平容器形状となし、平面形状が略凹字状の扁平容器状となしてある。
【００２４】
前記係止片Ｂは、本体部１０内に差し込むことのできる舌片部２１を有し、この舌片部２１は、係止具本体Ａの上辺の凹字状に凹んだ部位に嵌入する舌片基端部２１ａと、この舌片基端部２１ａよりさらに延設されて、上記操作レバー片１４，１４の間から本体部１０内に差し込むことのできる挿入舌片部２１ｂとで構成し、この舌片部２１の下辺は湾曲辺部２２となし、さらにこの湾曲辺部２２の上方部位には、前記係止爪部１４ｂ，１４ｂが係止するくびれ部２３を設けてある。上記舌片基端部２１ａは本体部１０と略同じ厚みとなし、図１の状態において、係止具本体Ａに係止した際、該係止具本体Ａと係止片Ｂとの図奥面と手前面とが夫々に同一面上に位置するようにしてある。
【００２５】
そして、上記舌片基端部２１ａよりさらに延設される挿入舌片部２１ｂは、該舌片基端部２１ａより薄手に構成して、本体部１０内に差し込むことができるようにしてある。
【００２６】
従って、本発明では、係止片Ｂを係止具本体Ａに差し込むと、上記の舌片基端部２１ａが係止具本体Ａの上部の凹部内に嵌入するので、この係止具本体Ａの上部の凹部と、舌片基端部２１ａとは、操作レバー１４、１４とは異なる移動不能部位であるので、両者の係止は確実にしっかりと行え、前記の効果に加えて、係止具本体Ａと係止片Ｂとが互いにずれることがない係止具を提供できるものである。
【００２７】
次に、本発明の第３の実施例について説明する。本発明は、係止具本体Ａと、この係止具本体Ａに着脱可能に係止される係止片Ｂとで構成され、上記係止具本体Ａは、凹字状に中央部を凹ました上辺部に開口部１２を設けた扁平容器形状の本体部１０の上部両側に、上部側一端を上記開口部１２より該本体部１０の両外側に突出した操作部１４ａとなした操作レバー片１４，１４を、軸１３，１３で夫々枢着して収納し、この操作レバー片１４の下部側一端は、該軸１３より下方内側に向かう係止爪部１４ｂを夫々延設し、また、上記本体部１０には、上記係止爪部１４ｂの下部を内側に向けて付勢するスプリング１５を収納し、さらに、上記本体部１０の下部にはベルト取付用窓孔１６を設け、前記係止片Ｂは、上部にベルト取付用窓孔２６を設け、下部は本体部１０内に差し込むことのできる舌片部２１となし、この舌片部２１は、係止具本体Ａの上辺の凹字状に凹んだ部位に嵌入する舌片基端部２１ａと、この舌片基端部２１ａよりさらに延設されて、上記操作レバー片１４，１４の間から本体部１０内に差し込むことのできる挿入舌片部２１ｂとで構成し、この舌片部２１の下辺は湾曲辺部２２となし、さらにこの湾曲辺部２２の上方部位には、前記係止爪部１４ｂ，１４ｂが係止するくびれ部２３を設けてなるものである。
【００２８】
すなわち、本発明は上記した構成に加えて、上記ベルト取付用窓孔１６，２６を設けたもので、このベルト取付用窓孔１６，２６によって、ベルトの端部に直接該係止具本体Ａと係止片Ｂとを取り付けるか、別途取付用のベルトを介して鞄本体１等に取り付けるようになしたものである。
【００２９】
なお、図２は、本発明とは異なり、係止具本体Ａに上記ベルト取付用窓孔１６を使用しない実施例で、適所に鋲孔２４，２４，２４・・・を設けて、該係止具本体Ａは鞄本体１等に鋲着できるようになしたものである。
【００３０】
【発明の効果】
本発明は上記のように、部品点数が少なく簡易な構成であるので、強固で故障の少ない係止具を提供できるものである。また、本発明は、操作レバー１４と係止片Ｂとを別々に操作して、係止を脱着するようになしたので操作性のよい係止具を提供できるものである。
【図面の簡単な説明】
【図１】  本発明係止具の一実施例を示す部分切欠平面図である。
【図２】  別の実施例での部分切欠平面図である。
【図３】  本発明係止具をショルダー鞄に使用した使用例での正面図である。
【図４】  図３例の右側面図である。
【図５】  従来例部分切欠平面図である。
【符号の説明】
Ａ      係止具本体
Ｂ      係止片
１０      本体部
１２      開口部
１３      軸
１４      操作レバー
１４ａ    操作部
１４ｂ    係止爪部
１５      スプリング
１６      ベルト取付用窓孔
２１      舌片部
２１ａ    舌片基端部
２１ｂ    挿入舌片部
２２      湾曲辺部
２３      くびれ部
２６      ベルト取付用窓孔
【図１】
0003704097.tif 000002
【図２】
0003704097.tif 000003
【図３】
0003704097.tif 000004
【図４】
0003704097.tif 000005
【図５】
0003704097.tif 000006